(57)【要約】      （修正有）【課題】紙の品質を決定するパルプ濃度を一定に制御するための古紙の解梱供給方法及びその装置であって、制御状態がいかなるゾーンに位置していても、自動的に最適な制御状態に移行することができ、紙の品質を高く維持することが安価に実現できる古紙の解梱供給方法及びその装置を提供する。【解決手段】ベール古紙１０１を搬送する過程で解梱し、解梱した古紙を計量してパルパー１７０に投入し、該パルパーに希釈水を供給して前記古紙を所定濃度のパルプとした後、次工程の貯蔵タンクに排出するようにした古紙の解梱供給方法及びその装置において、前記パルパーから排出されるパルプの濃度を検出すると共に貯蔵タンク１８０の液面レベルを検出し、該検出したパルプ濃度信号及びタンク液面レベル信号に基づき前記希釈水の供給量及び前記古紙の投入量を制御する。【選択図】図１
2006009179.tif 000002
【特許請求の範囲】
【請求項１】
ベール古紙を搬送する過程で解梱し、解梱した古紙を計量してパルパーに投入し、該パルパーに希釈水を供給して前記古紙を所定濃度のパルプとした後、次工程の貯蔵タンクに排出するようにした古紙の解梱供給方法において、前記パルパーから排出されるパルプの濃度を検出すると共に前記貯蔵タンクの液面レベルを検出し、該検出したパルプ濃度信号及びタンク液面レベル信号に基づき前記希釈水の供給量及び前記古紙の投入量を制御することにより、前記パルパー内のパルプ濃度及び液面レベルを一定に保持するようにしたことを特徴とする古紙の解梱供給方法。
【請求項２】
前記貯蔵タンクの液面レベル検出値が設定値より高い場合、前記貯蔵タンク内の古紙パルプを前記パルパー内に逆送するようにしたことを特徴とする請求項１に記載の古紙の解梱供給方法。
【請求項３】
ベール古紙を搬送する過程で解梱し、解梱した古紙を計量してパルパーに投入し、該パルパーに希釈水を供給して前記古紙を所定濃度のパルプとした後、次工程の貯蔵タンクに排出するようにした古紙の解梱供給装置において、前記ベール古紙を荷降し側の上昇角度を一定として供給する供給手段と、前記供給手段の荷降し側先端部上方において該搬送手段と所定間隔を空けて設けられ、かつ前記供給手段の供給方向と逆方向に移動する荷崩し手段と、前記供給手段及び前記荷崩し手段により解梱された古紙を前記パルパーに搬送する少なくとも１段から成る搬送手段と、前記パルパー内の一定濃度下における液面レベル制御設定値に基づき前記搬送手段の各々の速度を調節する制御手段を備えて成ることを特徴とする古紙の解梱供給装置。
【請求項４】
前記供給手段及び前記搬送手段はスラットコンベアであり、前記荷崩し手段は前記供給手段と逆方向に回転移動する補助コンベアである請求項３に記載の古紙の解梱供給装置。
【発明の詳細な説明】
【技術分野】
【０００１】
本発明は、ベール古紙の解梱供給方法及びその装置に関し、更に詳細には、紙の品質を決定するパルプ濃度を一定に制御するための古紙の解梱供給方法及びその装置に関する。
【背景技術】
【０００２】
製紙工場における製紙工程では、梱包された原材料となる古紙、すなわちベール古紙をベルトコンベア等で搬送する過程で解梱し、解梱した古紙を計量しながら溶解槽、すなわちパルパーに投入し、このパルパー内に希釈水を供給して古紙を溶解し、一定濃度に溶解したパルプを次工程の貯蔵タンクに排出することが行なわれる。
【０００３】
このように、パルパーから排出されるパルプの濃度を一定に維持することは、紙の品質を維持する上で重要である。このため、当分野では、このパルプ濃度をパルパーに投入される古紙の投入量や投入された古紙を溶解するための希釈水の供給量、あるいはパルパー内の液面レベル等を考慮して制御することが行なわれている。
【０００４】
従来、上述したように、ベール古紙をベルトコンベア等で搬送する過程で解梱し、解梱した古紙を計量しながらパルパーに投入し、パルパーにて溶解したパルプ濃度を制御するようにした古紙の解梱供給方法及びその装置として、例えば特許文献１には、パルパー内で溶解されたパルプ濃度を検出し、この検出信号に基づき解梱用のスラットコンベアの傾斜角を変えて解梱した古紙の供給量を調節するようにしたベール古紙の解梱供給供給方法及び装置が提案されている。
【０００５】
しかしながら、このように解梱用のスラットコンベアの傾斜角を可変とすると、ベール古紙の解梱、搬送部における構造が複雑となり、装置全体としてのコストがアップする欠点があった。また、この種のパルプ濃度制御方法及び装置はパルパー内の液面レベルとパルプ濃度とを独立した制御ループで制御するものであったため、例えば、パルパー内の液面レベルが低い状態でしかもパルプ濃度が低い状態や、逆にパルパー内の液面レベルが高くかつパルプ濃度が高い状態では、パルパー内の液面レベルを保とうとすれば、パルプ濃度の偏差が更に大きくなる等の現象があり、互いに干渉し合って濃度制御が不可能になってしまっていた。このような状態に陥ると自動制御状態から手動による制御に切り替えなければならないという不具合があった。
【０００６】
これに対し、従来、例えば特許文献２には、パルパーから排出されるパルプの濃度を検出すると共に、パルパー内の液面レベルを検出し、これらの２つの信号に基づきパルパーに投入する古紙と白水の量を制御するようにした古紙の解梱供給方法及びその装置が提案されている。
【０００７】
しかしながら、このような古紙の解梱供給方法及びその装置においても、パルパー内に投入される古紙量を均等にすることが困難であり、投入量の変動により、パルパーから排出されるパルプの濃度の変動やパルパーそのものの電力原単位負荷の変動が生じ、古紙の品質そのものを劣化させる問題を内蔵していた。
【特許文献１】特開平７−２０７５９０号（特許第２６７０９７５号）公報
【特許文献２】特開平５−９８８２号（特許第３００３２８４号）公報
【発明の開示】
【発明が解決しようとする課題】
【０００８】
本発明は、上述したような実情に鑑みなされたもので、その目的とするところは、紙の品質を決定するパルプ濃度を一定に制御するための古紙の解梱供給方法及びその装置であって、制御状態がいかなるゾーンに位置していても、自動的に最適な制御状態に移行することができ、紙の品質を高く維持することを安価に実現できる古紙の解梱供給方法及びその装置を提供することにある。
【課題を解決するための手段】
【０００９】
本発明の上記目的は、ベール古紙を搬送する過程で解梱し、解梱した古紙を計量してパルパーに投入し、該パルパーに希釈水を供給して前記古紙を所定濃度のパルプとした後、次工程の貯蔵タンクに排出するようにした古紙の解梱供給方法において、前記パルパーから排出されるパルプの濃度を検出すると共に前記貯蔵タンクの液面レベルを検出し、該検出したパルプ濃度信号及びタンク液面レベル信号に基づき前記希釈水の供給量及び前記古紙の投入量を制御することにより、前記パルパー内のパルプ濃度及び液面レベルを一定に保持するようにしたことを特徴とする古紙の解梱供給方法を提供することによって達成される。
【００１０】
また、本発明の上記目的は、前記貯蔵タンクの液面レベル検出値が設定値より高い場合、前記貯蔵タンク内の古紙パルプを前記パルパー内に逆送するようにしたことを特徴とする古紙の解梱供給方法を提供することによって、より効果的に達成される。
【００１１】
また、本発明の上記目的は、ベール古紙を搬送する過程で解梱し、解梱した古紙を計量してパルパーに投入し、該パルパーに希釈水を供給して前記古紙を所定濃度のパルプとした後、次工程の貯蔵タンクに排出するようにした古紙の解梱供給装置において、前記ベール古紙を荷降し側の上昇角度を一定として供給する供給手段と、前記供給手段の荷降し側先端部上方において該搬送手段と所定間隔を空けて設けられ、かつ前記供給手段の供給方向と逆方向に移動する荷崩し手段と、前記供給手段及び前記荷崩し手段により解梱された古紙を前記パルパーに搬送する少なくとも１段から成る搬送手段と、前記パルパー内の一定濃度下における液面レベル制御設定値に基づき前記搬送手段の各々の速度を調節する制御手段を備えて成ることを特徴とする古紙の解梱供給装置を提供することによって達成される。
【００１２】
さらにまた、本発明の上記目的は、前記供給手段及び前記搬送手段はスラットコンベアであり、前記荷崩し手段は前記供給手段と逆方向に回転移動する補助コンベアである古紙の解梱供給装置を提供することによって、より効果的に達成される。
【発明の効果】
【００１３】
本発明に係わる古紙の解梱供給方法によれば、ベール古紙を搬送する過程で解梱し、解梱した古紙を計量してパルパーに投入し、該パルパーに希釈水を供給して前記古紙を所定濃度のパルプとした後、次工程の貯蔵タンクに排出するようにした古紙の解梱供給方法において、前記パルパーから排出されるパルプの濃度を検出すると共に前記貯蔵タンクの液面レベルを検出し、該検出したパルプ濃度信号及びタンク液面レベル信号に基づいて前記希釈水の供給量及び前記古紙の投入量を制御するように構成されているため、貯蔵タンク内におけるパルプ原料の使用量の変動に応じてパルパーの操業を調整することができ、貯蔵タンク内のパルプ濃度及び液面レベルの変動が少なくなると共にパルパーの稼動効率が高められるので、低コストで一定品質のパルプ原料を製造することができる。
【００１４】
また、本発明に係わる古紙の解梱供給装置によれば、ベール古紙を搬送する過程で解梱し、解梱した古紙を計量してパルパーに投入し、該パルパーに希釈水を供給して前記古紙を所定濃度のパルプとした後、次工程の貯蔵タンクに排出するようにした古紙の解梱供給装置において、前記ベール古紙を荷降し側の上昇角度を一定として供給するスラットコンベア等から成る供給手段と、前記供給手段の荷降し側先端部上方において該搬送手段と所定間隔を空けて設けられ、かつ前記供給手段の供給方向と同方向または逆方向に移動するスラットコンベア等から成る荷崩し手段と、前記供給手段及び前記荷崩し手段により解梱された古紙を前記パルパーに搬送する少なくとも１段のスラットコンベア等から成る搬送手段と、前記パルパー内の一定濃度下における液面レベル制御設定値に基づき前記搬送手段の各々の速度を調節する制御手段を備えているため、貯蔵タンク内におけるパルプ原料の使用量に変動が生じても、この変動に追従した一定濃度のパルプ原料をパルパーから供給できるようになり、パルパーへの古紙供給量を従来に増して均等に行うことができるので、原料パルプ使用部門の使用量に応じた適切かつ低コストな原料パルプを製造することができる。
【発明を実施するための最良の形態】
【００１５】
以下、本発明に係わる古紙の解梱供給装置の内容を解梱供給方法と合わせて説明する。なお、本発明は必ずしも以下の実施例に限られるものではなく、特許請求の範囲を逸脱しない範囲において構成を種々なものに変更できることはいうまでもない。
【００１６】
図１は、本発明の一実施形態に係わるベール古紙の解梱供給方法及び装置（以下、「本解梱供給方法及び装置」という）の構成ブロック図であり、図において１００は本解梱供給方法及び装置を構成する装置（ハード）系を示し、２００は装置（ハード）系１００を駆動制御する制御（ソフト）系を示している。なお、制御（ソフト）系２００において、ＳＰ（セットポイント）は設定値の存在を、ＰＩは比例積分制御を、ＰＶ（プロセスバリュー）は変数が生じる制御を、ｒ（リレー）は関連する制御を、ＣＲＣは濃度制御を、ＦＣは流量制御を夫々示している。
【００１７】
装置（ハード）系１００において、１０１は製紙原料となる解梱前のベール古紙、１１０はベール古紙１０１を供給する供給コンベア、１２０は荷積部側のスラットコンベア１２０Ａと上方に傾斜して設けられた荷降部側のスラットコンベア１２０Ｂとから成るベール古紙１０１供給兼解梱用のスラットコンベア、１３０はスラットコンベア１２０Ｂの上方に間隙Ａをもつて設けられ、かつこのスラットコンベア１２０Ｂと逆方向に回転移動してベール古紙１０１を粗もしくは密に分散、荷崩する補助コンベア、１４０は分散、荷崩しした古紙１０１Ａを搬送するスラットコンベア、１５０は古紙１０１Ａを搬送するベルトコンベア、１６０は上方に傾斜して設けられ、古紙１０１Ａを定速搬送するベルトコンベア、１７０はベルトコンベア１６０によって投入される古紙１０１Ａを分散、離解するパルパー、１８０はパルパー１７０から供給される古紙パルプ１０１Ｂを貯蔵する貯蔵タンクである。
【００１８】
ベール古紙１０１は、輸送や保管場所等の点から、通常、所定量の古紙をベーラーにより１２０〜１５０ｋｇ／ｃｍ３の高圧力で加圧、固形化し、重量が約１トン、高さ１ｍ×幅１ｍ×縦２ｍ程度の大きさに番線で梱包して成っている。
【００１９】
供給コンベア１１０はモーター１１１が回転することにより駆動し、ベール古紙１０１をスラットコンベア１２０Ａ上に供給する。スラットコンベア１２０Ａの上方には分散、荷崩しされた古紙１０１Ａの量を検出するセンサー１１２が設けられており、スラットコンベア１２０Ａ上の古紙１０１Ａが所定量以下となったことをセンサー１１２が検知すると、制御器２０１を介して前記モーター１１１が回転するように構成されている。
【００２０】
供給兼解梱用のスラットコンベア１２０は多数のスラットリンク板をコンベアチェーンに連続的に取り付けて成る公知のもので、荷積部側のスラットコンベア１２０Ａが略平坦に配置されているのに対し、荷降部側のスラットコンベア１２０Ｂは一定の（例えば４０度前後の）上昇角度をもってスラットコンベア１２０Ａの先端側の回転軸部に連設されている。スラットコンベア１２０Ｂにはモーター１２１が設けられており、制御器２０２からの指令に基づき回転するように構成されている。なお、スラットコンベア１２０Ｂの上昇角度は、必要に応じ、この角度を規定、保持しているエアシリンダあるいは固定ネジの位置を手動で変更することにより任意の角度に設定することができる。このようにスラットコンベア１２０Ｂの上昇角度を変更することにより補助コンベア１３０との間隙Ａが調節される。この間隙Ａはベール古紙１０１の形状や大きさ等に応じ、解梱し易い所望の値に設定される。
【００２１】
補助コンベア１３０にはモーター１３１が設けられており、制御器２０２からの指令に基づきスラットコンベア１２０Ｂのモーター１２１とは逆方向に回転するように構成されている。なお、この補助コンベア１３０の駆動方向は分散、荷崩し効率の観点からスラットコンベア１２０と逆方向であることが望ましいが、必要に応じ、これを同方向としてもよく、また、スラットコンベア１２０自体を平坦に設置することも可能である。
【００２２】
供給コンベア１１０からスラットコンベア１２０Ａに供給されたベール古紙１０１は、
スラットコンベア１２０Ｂの作動により所定の上昇角度に設定された荷降部側に搬送され、重心が高い大型のベール古紙１０１は、この荷降部側を上昇する途中で重力及び補助コンベア１３０の作用を受けて荷降部側に落下する。荷降部側に落下したベール古紙１０１は自身の落下衝撃により解梱され、再度荷降部側を上昇する。なお、十分に解梱されなかったベール古紙１０１はこの落下が繰り返される内に解梱され、所定の大きさに分散、荷崩しされる。
【００２３】
かくして所定の大きさに分散、荷崩しされた古紙（この古紙を「１０１Ａ」で表わす）は供給コンベア１１０から搬送用のスラットコンベア１４０の上に移される。スラットコンベア１４０にはモーター１４１が設けられている。このモーター１４１は、手入力された所定値と次のベルトコンベア１５０の搬送状況に鑑み制御器２０３から発せられる指令に基づき間欠的に回転するように構成されている。すなわち、スラットコンベア１４０はベルトコンベア１５０の搬送状況により古紙１０１Ａを一時的にコンベア上で滞留させるクッション機能を有している。
【００２４】
ベルトコンベア１５０はモーター１５１が回転することにより駆動される。このベルトコンベア１５０には次のベルトコンベア１６０へ搬送する古紙１０１Ａの重量を測定する重量計１５２が設けられている。この重量計１５２による測定値は制御器２０４に送られ、予め設定された設定数値ＳＰ、すなわちパルパー１７０内における古紙パルプの一定濃度下における液面レベル制御設定値に応じた搬送量が自動的に計算され、この搬送量に対応した所望の回転速度信号が制御器２０５を介してモーター１５１に送られ、これによりベルトコンベア１５０の駆動速度が制御されるように構成されている。また、この重量計１５２による測定値は制御器２０３を介してモーター１４１に送られると共に、制御器２０２を介してモーター１２１、１３１に送られ、これによりスラットコンベア１４０、１２０、及び補助コンベア１３０の駆動速度が制御されるように構成されている。なお、同様にして、供給コンベア１１０の駆動速度を制御することも可能である。
【００２５】
ここに、ベルトコンベア１５０をスラットコンベアで構成することも可能であるが、この搬送工程においては搬送するべき古紙１０１Ａが既に所定の大きさに分散、荷崩しされ、その重量が軽減されているため、コスト的に安いベルトコンベアとすることが好ましい。なお、このベルトコンベア１５０に上昇角度を持たせると、古紙１０１Ａの分散、荷崩し効果をさらに高めることができる。
【００２６】
ベルトコンベア１６０はモーター１６１が回転することにより駆動される。上記同様に、このベルトコンベア１６０には次のパルパー１７０に投入する古紙１０１Ａの重量を測定する重量計１６２が設けられている。この重量計１６２は、パルパー１７０内のパルプ濃度に比例した量の古紙１０１Ａをパルパー１７０内に投入するために設けられている。なお、後述するように、この古紙投入量に比例した希釈水量が希釈水供給管１７２を介してパルパー１７０内に供給される。重量計１６２による測定信号は制御器２０６に送られ、予め設定された設定数値ＳＰと比較、計算されて所望の回転速度信号がモーター１６１に送られ、かくしてベルトコンベア１６０の駆動速度が制御される。ベルトコンベア１６０により搬送される古紙１０１Ａの基本的な量及び搬送速度は、上述した各段階を経ることにより一定化されており、これにより、パルパー１７０には所望の大きさに分散、荷崩しされた古紙１０１Ａが一定量ずつ等速度で投入される。なお、ベルトコンベア１６０は、分散、荷崩しの面から傾斜を持たせることが望ましいが、必要に応じ、平坦あるいは傾斜と平坦を併用した形態で設置することも可能である。また、ベルトコンベア１６０のパルパー１７０への投入端に任意の傾斜を持たせるようにすると、古紙１０１Ａの落下に引きずられて近傍の古紙１０１Ａが落下することを抑制することができ、古紙１０１Ａの投入量を平坦な場合よりも精度よく調整することができる。
【００２７】
以上のとおり、本解梱供給方法及び装置では手動（若しくは自動）により、分散、荷崩しされた古紙１０１Ａのパルパー１７０への投入量を制御することができるので、パルパー１７０における後述する古紙パルプ１０１Ｂの急激な変動を任意に調整することができ、任意制御を前後工程にフィードバックすることで、任意調整に伴う付随的な問題に対応することができる。
【００２８】
パルパー１７０ではベルトコンベア１６０から投入された古紙１０１Ａに希釈水が供給されて所定濃度の古紙パルプ（スラリー）が調製される。希釈水は、制御器２０７の指令によって開閉が制御されるバルブ１７１及びこのバルブ１７１に接続された希釈水供給管１７２を介して古紙１０１Ａの投入量に比例した量だけパルパー１７０内に供給される。この希釈水の量は、理想的には古紙１０１Ａが含有する水分量を考慮し、換算して添加することが最も好ましいが、搬送途中のバラケた古紙１０１Ａの水分を測定することは困難であるため、梱包状態にあるベール古紙１０１で水分測定を行い、当該ベール古紙１０１の搬送速度に応じて水分換算を行うことが現実的である。
【００２９】
希釈水が供給されると、古紙１０１Ａはパルパー１７０内に設けられた攪拌器１７３により攪拌混合されてスラリー状の古紙パルプ（この古紙パルプを「１０１Ｂ」と表わす）に分散、離解される。このように分散、離解された古紙パルプ１０１Ｂはパルパー１７０の底部より排出され、ポンプ１７４及び送出管１７５を介して貯蔵タンク１８０に送られる。なお、送出管１７５の途中にはパルパー１７０より排出される古紙パルプ１０１Ｂの濃度を測定する濃度計１７６が設けられており、この濃度計１７６により測定されたパルプ濃度信号が制御装置２０８に送られるようになっている。
【００３０】
貯蔵タンク１８０内には古紙パルプ１０１Ｂの液面レベルを検出する液面レベル計１８１が設けられており、検出されたタンク液面レベル信号が前記制御装置２０８に送られるようになっている。本解梱供給装置ではこの古紙パルプ１０１Ｂのパルプ濃度信号と、タンク液面レベル信号とにより制御器２０７を介してバルブ１７１の開閉が制御され、所定濃度の古紙パルプ１０１Ｂを調製するために必要な量の希釈水が希釈水供給管１７２よりパルパー１７０内に供給される。貯蔵タンク１８０に貯蔵された古紙パルプ１０１Ｂは貯蔵タンク１８０の底部から排出され、ポンプ１８２及び送出管１８３を介して次工程に送られ、使用される。なお、古紙パルプ１０１Ｂの濃度制御は、送出管１８３から送出された直後に濃度が検知され、この検知信号に基づき希釈水を送出管１８３に添加することにより行われる。
【００３１】
本解梱供給方法及び装置は、パルパー１７０から排出される古紙パルプ１０１Ｂの濃度を検出すると共に貯蔵タンク１８０の液面レベルを検出し、この検出したパルプ濃度信号及びタンク液面レベル信号に基づき希釈水の供給量を制御し、この希釈水の供給量に比例した量の古紙パルプ１０１Ａをパルパー１７０に投入することにより、パルパー１７０内の液面レベル及びパルプ濃度を常に一定に保持し、かつパルパー１７０からの送り出し量を一定に保持するように構成されている。このため、本解梱供給方法及び装置では、一定液面レベルにおける古紙１０１Ａの投入量を重量計１６２の測定値に基づき制御すると共に、貯蔵タンク１８０内の液面レベルが高くなった場合には、貯蔵タンク１８０内の古紙パルプ１０１Ｂを送出管１７５と分岐して設けられたポンプ１７７及び逆送配管１７８を介してパルパー１７０内に戻すようになっている。なお、貯蔵タンク１８０内の液面レベルが下がると、重量計１６２の測定値に対応した量の古紙１０１Ａがベルトコンベア１６０を介してパルパー１７０内に投入されると共に希釈水が比例制御により添加される。併せて、この古紙１０１Ａの投入量に応じた古紙１０１Ａの搬送がスラットコンベア１２０、補助コンベア１３０、スラットコンベア１４０、ベルトコンベア１５０により行われる。
【００３２】
以上のとおり、本解梱供給方法及び装置は、パルパー１７０内のパルプ濃度と液面レベルが常に一定に保持されるように構成されているので、本解梱供給方法及び装置によれば、パルパー１７０の負荷を常に均等にすることができ、得られる離解原料繊維の劣化や切断を抑えることができ、これにより一定品質の紙を製造することができる。また、貯蔵タンク１８０内の原料、すなわち古紙パルプ１０１Ｂの使用量の変動に応じてパルパー１７０の操業を調整することができ、こりにより、貯蔵タンク１８０内のパルプ濃度の変動が抑制され、パルパー１７０の稼動効率が高められるので、低コストで一定品質のパルプ原料を製造することができる。
【図面の簡単な説明】
【００３３】
【図１】本発明の一実施形態に係わるベール古紙の解梱供給装置の構成ブロック図である。
【符号の説明】
【００３４】
１００                          装置（ハード）系
１０１                          ベール古紙
１０１Ａ                        分散、荷崩しされた古紙
１０１Ｂ                        古紙パルプ
１１０                          供給コンベア
１１１                          モーター
１１２                          センサー
１２０                          （供給兼解梱用の）スラットコンベア
１２０Ａ                        （荷積部側の）スラットコンベア
１２０Ｂ                        （荷降部側の）スラットコンベア
１２１                          モーター
１３０                          補助コンベア
１３１                          モーター
１４０                          スラットコンベア
１４１                          モーター
１５０                          ベルトコンベア
１５１                          モーター
１５２                          重量計
１６０                          ベルトコンベア
１６１                          モーター
１６２                          重量計
１７０                          パルパー
１７１                          バルブ
１７２                          希釈水供給管
１７３                          攪拌器
１７４                          ポンプ
１７５                          送出管
１７６                          濃度計
１７７                          ポンプ
１７８                          逆送配管
１８０                          貯蔵タンク
１８１                          液面レベル計
１８２                          ポンプ
１８３                          送出管
２００                          制御（ソフト）系
２０１〜２０７                  制御器
２０８                          制御装置
【図１】
2006009179.tif 000003